(57)【要約】【課題】アプリケーションレベルでのプロトコル変換もしくはバスマネージメントを行なう。【解決手段】端末機１５は、ＤＶ方式の信号伝達プロトコルに準じる映像データを示す光信号を光ファイバ１４を通じて光伝送装置１１へと送信する。光伝送装置１１では、この光信号を光トランシーバ２２で電気信号に変換し、この電気信号をステートマシーン１６の仕様に準じる信号に変換して出力する。ステートマシーン１６は、この信号をアプリケーションプロトコル変換機能２４及びＤＳポート１９に出力する。アプリケーションプロトコル変換機能２４は、この信号をＭＰＥＧ２ＴＳ方式の映像データを示す信号に変換し、この変換した信号をＤＳポート１９に出力する。ＤＳポート１９は、両者の信号を導体コネクタ２１及び導体ケーブル１２を通じて外部の端末機１３に送信する。【選択図】図１
2004153781.tif 000002
【特許請求の範囲】
【請求項１】
ＩＥＥＥ１３９４に規定される信号を送受信するための複数のポートを有し、各ポートのうちの少なくとも１つが光信号を送受信するためのものであり、各ポートで送受信される信号について、物理層レベルでの信号伝送プロトコル変換を行なう光伝送装置において、
各ポートに外部接続されるそれぞれの信号用バスを共に管理するバスマネージメント手段を備えることを特徴とする光伝送装置。
【請求項２】
アプリケーションレベルでの信号伝送プロトコル変換を行なうアプリケーションレベルプロトコル変換手段を備えることを特徴とする請求項１に記載の光伝送装置。
【請求項３】
アプリケーションレベルプロトコル変換手段は、ＤＶ方式の信号伝達プロトコルとＭＰＥＧ２ＴＳ方式の信号伝達プロトコル間の変換を行なうことを特徴とする請求項２に記載の光伝送装置。
【請求項４】
アプリケーションレベルプロトコル変換手段は、１ビットオーディオ信号の信号伝達プロトコルとマルチビットオーディオ信号の信号伝達プロトコル間の変換を行なうことを特徴とする請求項２に記載の光伝送装置。
【請求項５】
マルチビットオーディオ信号の信号伝達プロトコルは、ＩＥＣ６０９５８に規定されるものであることを特徴とする請求項４に記載の光伝送装置。
【請求項６】
マルチビットオーディオ信号の信号伝達プロトコルは、ＭＰＥＧ  Ａｕｄｉｏ  Ｌａｙｅｒ３に規定されるものであることを特徴とする請求項４に記載の光伝送装置。
【請求項７】
アプリケーションレベルプロトコル変換手段は、交換可能なモジュールであることを特徴とする請求項１に記載の光伝送装置。
【請求項８】
請求項１乃至７のいずれかに記載の光伝送装置を備える電子機器。
【発明の詳細な説明】
【０００１】
【発明の属する技術分野】
本発明は、例えばＩＥＥＥ１３９４で用いられる電気信号及び光信号を相互変換しつつ送受信することが可能な光伝送装置及びそれを備える電子機器に関する。
【０００２】
【従来の技術】
光信号を送受信する従来の装置としては、例えば特許文献１に記載の「光リピータ」と称するものがある。この光リピータ１００では、図３に示す様に下り回線の光ファイバ１０１を通じて伝送されて来た光信号を高速光電気変換回路１０２で電気信号に変換し、この電気信号を復調回路１０３で復調して、ＮＲＺ信号を形成し、このＮＲＺ信号を再同期変調回路１０４により変調して、同期を取り直した電気信号を形成し、この電気信号を電気光変換回路１０５により光信号に変換して、この光信号を下り回線の光ファイバ１０１を通じて送出している。また、ＮＲＺ信号を低速電気光変換回路１０６により光信号に変換し、この光信号を光ファイバ１０７を通じて送出している。同様に、上り回線の光ファイバ１１１についても、高速光電気変換回路１１２、復調回路１１３、再同期変調回路１１４、及び高速電気光変換回路１１５を挿入している。また、光ファイバ１１６を通じて伝送されて来た光信号を低速光電気変換回路１１７によりＮＲＺ信号に変換し、このＮＲＺ信号を論理和回路１１８を通じて再同期変調回路１１４に入力している。
【０００３】
また、特許文献２には、「光伝送装置」と称するものが記載されている。この装置２００では、図４に示す様に相互に異なるそれぞれのプロトコルで信号伝送を行なう各インターフェースＬ１〜Ｌ６をコネクタ部２０１に接続し、各インターフェースＬ１〜Ｌ６のいずれかを選択部２０２により選択して符号変換部２０３に接続し、また光信号を送信する光送信部２０４及び光信号を受信する光受信部２０５を符号変換部２０３に接続し、該選択されたインターフェースからの送信データを符号変換部２０３及び光送信部２０４を通じて送信したり、受信データを光受信部２０５及び符号変換部２０３を通じて該選択されたインターフェースへと転送している。符号変換部２０３は、各インターフェースＬ１〜Ｌ６のプロトコルの差を吸収するものであって、いずれのインターフェースに対する受信データであっても、インターフェースのプロトコルに応じて該受信データを符号変換する。
【０００４】
更に、ＩＥＥＥ１３９４に対応する既知の装置３００では、図５に示す様にＩＥＥＥ１３９４ｂに対応するステートマシーン３０１、リンクインターフェース３０２、ＤＳポート３０３、及び光ポート３０４を含むＩＥＥＥ１３９４に規定される物理層（ＬＳＩ等で構成される）３０５と、電気コネクタ３０６と、光トランシーバ３０７を備えており、ＤＳ信号を電気コネクタ３０６を通じてＤＳポート３０３で送受信し、光信号を光トランシーバ３０７を通じて光ポート３０４で送受信し、ＤＳ信号を光信号に変換して転送したり、光信号をＤＳ信号に変換して転送するというリピートを行なっている。
【０００５】
【特許文献１】
特開昭６０−１５３６５１号公報（第２−３頁、図２）
【特許文献２】
特開２０００−２２４２５６号公報（第３−５頁、図２）
【０００６】
【発明が解決しようとする課題】
しかしながら、図３の装置では、光信号の中継を行なっているに過ぎず、物理層レベルでのプロトコル変換及びアプリケーションレベルでのプロトコル変換のいずれも行なってはいない。
【０００７】
また、図４の装置では、各インターフェースＬ１〜Ｌ６のプロトコルの差を吸収するものであって、物理層レベルでのプロトコル変換を行なっているものの、アプリケーションレベルでのプロトコル変換を行なってはいない。
【０００８】
更に、図５の装置では、電機信号と光信号の相互間の変換、つまり物理層レベルでのプロトコル変換を行なっているものの、アプリケーションレベルでのプロトコル変換を行なってはいない。
【０００９】
この様にアプリケーションレベルでのプロトコル変換を行なっていなければ、データの中継や伝達を行っても無駄なことがある。例えば、ＤＶ（Ｄｉｇｉｔａｌ  Ｖｉｄｅｏ）方式のアプリケーションのみを実装する送信側端末機（ＤＶＣ）から映像データを受信して、この映像データをＭＰＥＧ２ＴＳ方式のアプリケーションのみを実装する受信側端末機（デジタルＴＶ）に転送しても、映像を受信側端末機で再生することができない。
【００１０】
更に、仮にアプリケーションレベルでのプロトコル変換を行なったとしても、バスマネージメントを行なっていなければ、データ転送が困難である。例えば、図５の装置では、ステートマシーン３０１がＩＥＥＥ１３９４ｂに対応し、リピート遅延量がＩＥＥＥ１３９４−１９９５で規定される１４４ｎｓを超える可能性があることから、パケット伝送時間を実際に計測した上でバスの調停時間を決めるためのパラメータの設定を行なうＰＩＮＧプロトコル等に従うバスマネージメントが必要となる。このバスマネージメントの機能を持たずかつＩＥＥＥ１３９４に対応しない端末機に対してデータ転送を行なうと、バス上のデータの伝送遅延量が１４４ｎｓを超えたときにバス通信が妨げられ、映像データ等を端末機に対して送受信することができなくなる。
【００１１】
図３、図４、及び図５の装置においては、アプリケーションレベルでのプロトコル変換を行なわないだけではなく、バスマネージメントを行なわないため、外部の各端末機間でアプリケーションレベルでのプロトコルが相互に異なれば、外部の該各端末機間のデータ転送を扱うことは全く不可能である。
【００１２】
また、図５の装置では、２芯の光ケーブルを用いて光伝送を行なっており、光トランシーバ３０７の光コネクタが大きい。この光コネクタは、その大きさから、映像機器、オーディオ機器、パーソナルコンピュータ等の一般家庭用の端末機には不向きであり、一般家庭用の端末機との接続には電気コネクタ（メタルｉ．ＬＩＮＫ）を用いることになる。このため、音質劣化を防ぐために電気的アイソレーションを十分に確保することが望ましいオーディオ機器等においても、電気コネクタを採用するしかないというデメリットを解消するには至らない。
【００１３】
そこで、本発明は、上記従来の問題点に鑑みてなされたものであり、アプリケーションレベルでのプロトコル変換もしくはバスマネージメントを行なうことが可能な光伝送装置及びそれを備える電子機器を提供することを目的とする。
【００１４】
【課題を解決するための手段】
上記課題を解決するために、本発明は、ＩＥＥＥ１３９４に規定される信号を送受信するための複数のポートを有し、各ポートのうちの少なくとも１つが光信号を送受信するためのものであり、各ポートで送受信される信号について、物理層レベルでの信号伝送プロトコル変換を行なう光伝送装置において、各ポートに外部接続されるそれぞれの信号用バスを共に管理するバスマネージメント手段を備えている。
【００１５】
この様な構成の本発明によれば、ＩＥＥＥ１３９４に規定されるそれぞれの信号を各ポートを通じて送受信しつつ、物理層レベルでの信号伝送プロトコル変換を行い、更に各ポートに外部接続されるそれぞれの信号用バスを共に管理するというバスマネージメントを行っている。このため、例えばＤＳ信号をＤＳ信号用バスを通じて外部の端末機と送受信したり、光信号を光信号用バスを通じて外部の他の端末機と送受信しつつ、ＤＳ信号と光信号間の物理層レベルでの信号伝送プロトコル変換を行なうことができ、バス通信の破綻を招かずに、外部の該各端末機間のデータ転送を扱うことができる。
【００１６】
また、本発明においては、アプリケーションレベルでの信号伝送プロトコル変換を行なうアプリケーションレベルプロトコル変換手段を備えている。
【００１７】
この様にアプリケーションレベルでの信号伝送プロトコル変換を行なえば、外部の各端末機間のデータ転送として、該各端末機間で相互に異なるそれぞれのアプリケーションのデータ転送を扱うことが可能となる。
【００１８】
例えば、ＤＶ方式の信号伝達プロトコルとＭＰＥＧ２ＴＳ方式の信号伝達プロトコル間の変換を行なう場合は、ＤＶ方式のアプリケーションのみを実装する送信側端末機（ＤＶＣ）から映像データを受信して、この映像データをＤＶ方式からＭＰＥＧ２ＴＳ方式に変換した上で、この映像データをＭＰＥＧ２ＴＳ方式のアプリケーションのみを実装する受信側端末機（デジタルＴＶ）に転送して、映像を受信側端末機で再生することができる。勿論、ＭＰＥＧ２ＴＳ方式の映像データを受信し、この映像データをＤＶ方式の映像データに変換して転送することも可能である。
【００１９】
あるいは、１ビットオーディオ信号の信号伝達プロトコルとマルチビットオーディオ信号の信号伝達プロトコル間の変換を行なう場合は、１ビットオーディオ信号のアプリケーションのみを実装する送信側端末機から１ビットオーディオ信号を受信して、このオーディオ信号をマルチビットオーディオ信号に変換した上で、このオーディオ信号をマルチビットオーディオ信号のアプリケーションのみを実装する受信側端末機に転送して、音声を受信側端末機で再生することができる。勿論、マルチビットオーディオ信号を受信し、このオーディオ信号を１ビットオーディオ信号に変換して転送することも可能である。
【００２０】
例えば、マルチビットオーディオ信号の信号伝達プロトコルは、ＩＥＣ６０９５８に規定されている。あるいは、マルチビットオーディオ信号の信号伝達プロトコルは、ＭＰＥＧ  Ａｕｄｉｏ  Ｌａｙｅｒ３に規定されている。
【００２１】
また、本発明においては、アプリケーションレベルプロトコル変換手段は、交換可能なモジュールである。
【００２２】
この様にアプリケーションレベルプロトコル変換手段が交換可能なモジュールであれば、このモジュールの交換により、アプリケーションレベルでの信号伝送プロトコル変換として、多種多様なプロトコル変換を扱うことが可能になる。
【００２３】
一方、本発明の電子機器は、上記本発明の光伝送装置を備えている。
【００２４】
この様な本発明の電子機器においても、上記本発明の光伝送装置と同様の作用及び効果を達成することができる。
【００２５】
電子機器としては、例えば各種の映像機器、オーディオ機器、パーソナルコンピュータ等がある。
【００２６】
【発明の実施の形態】
以下、本発明の実施形態を添付図面を参照して詳細に説明する。
【００２７】
図１は、本発明の光伝送装置の一実施形態を示すブロック図である。本実施形態の光伝送装置１１は、ＩＥＥＥ１３９４に対応するものであり、導体ケーブル１２を通じて外部の端末機１３と電気信号を送受信したり、光ファイバ１４を通じて外部の他の端末機１５と光信号を送受信する。この光伝送装置１１では、ＩＥＥＥ１３９４に対応するステートマシーン１６の上位に、マイクロコンピュータ１７及びリンクインターフェース１８を接続し、またステートマシーン１６の下位に、ＤＳポート１９及び光ポート２０を接続し、更にＤＳポート１９及び光ポート２０に導体コネクタ２１及び光トランシーバ２２をそれぞれ接続している。そして、導体コネクタ２１及び光トランシーバ２２には、様々なデータを転送するためのバスとして機能する導体ケーブル１２及び光ファイバ１４をそれぞれ接続している。
【００２８】
ステートマシーン１６は、信号伝送制御を行なう物理層を有しており、上位のマイクロコンピュータ１７及びリンクインターフェース１８からのそれぞれの信号を処理したり、下位のＤＳポート１９及び光ポート２０からのそれぞれの信号を処理したり、上位及び下位間の中継を行なう。
【００２９】
マイクロコンピュータ１７は、導体ケーブル１２及び光ファイバ１４からなるバスを管理するためのバスマネージメント機能２３を有する。このバスマネージメント機能２３は、例えばバス上のパケット伝送時間を実際に計測した上で該バスの調停時間を決めるためのパラメータの設定を行なうＰＩＮＧプロトコル等に従うものである。このバスマネージメント機能２３のバス管理により、バス上のデータの伝送遅延量が１４４ｎｓを超えたとしても、バスの破綻が生じ難くなる。
【００３０】
また、マイクロコンピュータ１７及びリンクインターフェース１８は、アプリケーションプロトコル変換機能２４を有する。このアプリケーションプロトコル変換機能２４は、例えばＤＶ方式の信号伝達プロトコルとＭＰＥＧ２ＴＳ方式の信号伝達プロトコルを相互変換するものであって、ＤＶ方式の映像データとＭＰＥＧ２ＴＳ方式の映像データを相互変換することができる。
【００３１】
ＤＳポート１９は、Ｄａｔａ−Ｓｔｒｏｂｅ（ＤＳ）信号を送受信するポートであって、電気信号を導体コネクタ２１を通じて送受信する。ＤＳポート１９は、導体コネクタ２１及び導体ケーブル１２を通じて外部の端末機１３に接続されており、端末機１３からの電気信号を導体ケーブル１２及び導体コネクタ２１を通じて受信すると、この電気信号をステートマシーン１６の仕様に準じる信号に変換し、この変換した信号をステートマシーン１６に出力したり、ステートマシーン１６からの信号を導体コネクタ２１の仕様に準じる電気信号に変換して、この電気信号を導体コネクタ２１及び導体ケーブル１２を通じて端末機１３へと送信する。また、ＤＳポート１９は、導体ケーブル１２に接続されている端末機の有無を検出する。
【００３２】
光ポート２０は、ＩＥＥＥ１３９４に規定される光信号を送受信するポートであり、光トランシーバ２２及び光ファイバ１４を通じて外部の他の端末機１５に接続されている。光ポート２０により送受信される光信号としては、例えば４Ｂ５Ｂや８Ｂ１０Ｂ等に規定されるものがある。光トランシーバ２２は、端末機１５からの光信号を光ファイバ１４を通じて受信すると、この光信号を電気信号に変換して、この電気信号を光ポート２０に出力する。光ポート２０は、この電気信号をステートマシーン１６の仕様に準じる信号に変換し、この変換した信号をステートマシーン１６に出力する。また、光ポート２０は、ステートマシーン１６からの信号を入力すると、この信号を光トランシーバ２２の仕様に準じる信号に変換して、この変換した信号を光トランシーバ２２に出力する。光トランシーバ２２は、この信号を光信号に変換し、この光信号を光ファイバ１４を通じて端末機１５へと送信する。更に、光ポート２０は、光ファイバ１４に接続されている端末機の有無を検出する。
【００３３】
端末機１３は、ＭＰＥＧ２ＴＳ方式の信号伝達プロトコルに準じる映像データによって示される映像を画面に表示するものであり、ＩＥＥＥ１３９４に準じて、ＭＰＥＧ２ＴＳ方式の映像データを電気信号として導体ケーブル１２を通じ光伝送装置１１との間で送受信する。
【００３４】
端末機１５は、ＤＶ方式の信号伝達プロトコルに準じる映像データによって示される映像を画面に表示するものであり、ＤＶ方式の映像データを示す信号と光信号の相互変換を行い、更にＩＥＥＥ１３９４に準じて、この光信号を光ファイバ１４を通じ光伝送装置１１との間で送受信する。
【００３５】
この様な構成において、例えば端末機１５は、ＤＶ方式の信号伝達プロトコルに準じる映像データを示す光信号を光ファイバ１４を通じて光伝送装置１１へと送信する。光伝送装置１１では、この光信号を光トランシーバ２２で電気信号に変換し、この電気信号をステートマシーン１６の仕様に準じる信号に変換し、この変換した信号をステートマシーン１６に出力する。ステートマシーン１６は、この信号、つまりＤＶ方式の信号伝達プロトコルの映像データを示す信号をマイクロコンピュータ１７及びリンクインターフェース１８のアプリケーションプロトコル変換機能２４に与え、これと同時に該信号をＤＳポート１９に出力する。
【００３６】
アプリケーションプロトコル変換機能２４は、ＤＶ方式の信号伝達プロトコルの映像データを示す信号をＭＰＥＧ２ＴＳ方式の映像データを示す信号に変換し、この変換した信号をＤＳポート１９に出力する。
【００３７】
従って、ＤＳポート１９は、ＤＶ方式の信号伝達プロトコルの映像データを示す信号及びＭＰＥＧ２ＴＳ方式の映像データを示す信号をほぼ同時に入力することになる。そして、ＤＳポート１９は、両者の信号を導体コネクタ２１及び導体ケーブル１２を通じて外部の端末機１３に送信する。
【００３８】
このとき、マイクロコンピュータ１７のバスマネージメント機能２３は、光ファイバ１４及び導体ケーブル１２からなるバスをＩＥＥＥ１３９４に準じて管理し、映像データの伝送を速やかに行なわせ、バスの破綻を未然に防止する。
【００３９】
ここで、ＤＶ方式の映像データを示す信号及びＭＰＥＧ２ＴＳ方式の映像データを示す信号は、ＩＥＥＥ１３９４に規定されるアイソクロナス方式により伝送される。このアイソクロナス方式では、データを適宜の幅に分断して、分断された各データ部分をそれぞれのパケットに割り当て、各パケットをバスを通じて送受信しており、パケットの伝送レートをＤＶ方式の映像データを示す信号やＭＰＥＧ２ＴＳ方式の映像データを示す信号の伝送レートよりも十分に高く設定しているために、ＤＶ方式の信号及びＭＰＥＧ２ＴＳ方式の信号を時分割でほぼ同時に送受信することができる。
【００４０】
図２は、アイソクロナス方式により伝送されるパケット信号を示すタイミングチャートである。例えば端末機１５では、図２（ａ）に示す様にＤＶ方式の映像データを示す信号Ｄ０を各信号ｄ１，ｄ２，ｄ３，……に分断して、図２（ｂ）に示す様に各信号ｄ１，ｄ２，ｄ３，……をそれぞれのパケットｐ１，ｐ２，ｐ３，……に割り当て、これらのパケットｐ１，ｐ２，ｐ３，……を光信号として光ファイバ１４を通じて光伝送装置１１へと送信する。このときの各パケットｐ１，ｐ２，ｐ３，……には、他の各信号を割り当てる十分な余裕がある。一方、光伝送装置１１では、各信号ｄ１，ｄ２，ｄ３，……を各パケットｐ１，ｐ２，ｐ３，……から抽出して、ＤＶ方式の映像データを示す信号Ｄ０を形成し、ＤＶ方式の映像データを示す信号Ｄ０をＭＰＥＧ２ＴＳ方式の映像データを示す信号に変換し、図２（ｃ）に示す様にＭＰＥＧ２ＴＳ方式の信号を各信号ｍ１，ｍ２，ｍ３，……に分断して、図２（ｄ）に示す様に各信号ｍ１，ｍ２，ｍ３，……をそれぞれのパケットｐ３，ｐ４，ｐ５，……に割り当てる。このときの各パケットｐ１，ｐ２，ｐ３，……には、ＤＶ方式の各信号ｄ１，ｄ２，ｄ３，……とＭＰＥＧ２ＴＳ方式の各信号ｍ１，ｍ２，ｍ３，……が適宜に割り当てられる。そして、図２（ｄ）の各パケットｐ１，ｐ２，ｐ３，……を電気信号として光伝送装置１１から導体ケーブル１２を通じて端末機１３へと送信する。
【００４１】
尚、端末機１５から光伝送装置１１を介して端末機１３へと映像データを伝送する代わりに、端末機１３から光伝送装置１１を介して端末機１５へと映像データを伝送することもできる。この場合は、ＭＰＥＧ２ＴＳ方式の映像データを分断して各パケットに割り当て、これらのパケットを電気信号として端末機１３から光伝送装置１１へと送信し、ＭＰＥＧ２ＴＳ方式の映像データをＤＶ方式の映像データに光伝送装置１１で変換し、ＤＶ方式の映像データを分断して各パケットに割り当て、ＭＰＥＧ２ＴＳ方式の映像データ及びＤＶ方式の映像データを割り当てた各パケットを光信号として光伝送装置１１から光ファイバ１４を通じてへと端末機１５へと送信する。
【００４２】
また、端末機１５と光伝送装置１１間だけではなく、端末機１３と光伝送装置１１間でも、光信号を光ファイバを通じて伝送しても良い。あるいは、端末機１３と光伝送装置１１間だけではなく、端末機１５と光伝送装置１１間でも、電気信号を導体ケーブルを通じて伝送することも可能である。
【００４３】
また、ＤＶ方式の信号伝達プロトコルとＭＰＥＧ２ＴＳ方式の信号伝達プロトコル間の変換に限らず、他の種類の２方式間の変換を行なっても構わない。例えば、１ビットオーディオ信号の信号伝達プロトコルとマルチビットオーディオ信号の信号伝達プロトコル間の変換をアプリケーションプロトコル変換機能２４により行なっても良い。この場合は、１ビットオーディオ信号を端末機１５から光伝送装置１１へと送信し、この１ビットオーディオ信号をマルチビットオーディオ信号に変換し、１ビットオーディオ信号及びマルチビットオーディオ信号を光伝送装置１１から端末機１３へと送信する。マルチビットオーディオ信号の信号伝達プロトコルは、ＩＥＣ６０９５８や、ＭＰＥＧ  Ａｕｄｉｏ  Ｌａｙｅｒ３に規定されている。
【００４４】
更に、光伝送装置１１において、ＤＶ方式の映像データ及びＭＰＥＧ２ＴＳ方式の映像データのいずれかを受信したときには、該各方式間の変換を行なって、それぞれの方式の映像データを送信し、かつ１ビットオーディオ信号及びマルチビットオーディオ信号のいずれかを受信したときには、該各方式間の変換を行なって、それぞれの方式のオーディオ信号を送信しても良い。すなわち、映像データについての変換及びオーディオ信号についての変換等を共に行なっても構わない。
【００４５】
また、アプリケーションプロトコル変換機能２４をマイクロコンピュータ１７及びリンクインターフェース１８に着脱可能なモジュールとしても構わない。この場合は、アプリケーションプロトコル変換機能２４のモジュールを光伝送装置１１に付設するか否かをユーザ側で選択することができ、光伝送装置１１の基本的なコストを低減することができる。また、映像或いはオーディオの新たな伝送方式が現われたときには、モジュールを交換するだけで済み、コストの低減が可能である。例えば、メーカが独自に開発した映像や音声を圧縮する方法やＭＰＥＧ４等は、現在、記憶ファイルとして一般に利用されているが、伝送方式としてはマイナーである。しかしながら、将来、それらの圧縮方法が伝送方式でも利用されないとは限らない。このため、複数種類の２方式間の変換に対応するそれぞれのモジュールを提供し、これらのモジュールをユーザ側で選択すれば、将来の伝送方式に柔軟かつ容易に対処することができる。
【００４６】
更に、マイクロコンピュータ１７及びリンクインターフェース１８を個別に設ける代わりに、リンクインターフェースを含むマイクロコンピュータを適用しても構わない。
【００４７】
また、ＩＥＥＥ１３９４の拡張規格に準じて、導体コネクタ２１及び光トランシーバ２２の光コネクタの小型化を図っても良い。
【００４８】
更に、光伝送装置１１を端末機１３や１５に内蔵させても良い。端末機としては、例えば各種の映像機器、オーディオ機器、パーソナルコンピュータ等がある。
【００４９】
【発明の効果】
以上説明した様に本発明によれば、ＩＥＥＥ１３９４に規定されるそれぞれの信号を各ポートを通じて送受信しつつ、物理層レベルでの信号伝送プロトコル変換を行い、更に各ポートに外部接続されるそれぞれの信号用バスを共に管理するというバスマネージメントを行っている。このため、例えばＤＳ信号をＤＳ信号用バスを通じて外部の端末機と送受信したり、光信号を光信号用バスを通じて外部の他の端末機と送受信しつつ、ＤＳ信号と光信号間の物理層レベルでの信号伝送プロトコル変換を行なうことができ、バス通信の破綻を招かずに、外部の該各端末機間のデータ転送を扱うことができる。
【００５０】
また、アプリケーションレベルプロトコル変換手段を交換可能なモジュールとしているので、このモジュールの交換により、アプリケーションレベルでの信号伝送プロトコル変換として、多種多様なプロトコル変換を扱うことができる。
【図面の簡単な説明】
【図１】本発明の光伝送装置の一実施形態を示すブロック図である。
【図２】アイソクロナス方式により伝送されるパケット信号を示すタイミングチャートである。
【図３】従来の光リピータを示すブロック図である。
【図４】従来の光伝送装置を示すブロック図である。
【図５】ＩＥＥＥ１３９４に対応する従来の装置を示すブロック図である。
【符号の説明】
１１    光伝送装置
１２    導体ケーブル
１３，１５    端末機
１４    光ファイバ
１６    ステートマシーン
１７    マイクロコンピュータ
１８    リンクインターフェース
１９    ＤＳポート
２０    光ポート
２１    導体コネクタ
２２    光トランシーバ
２３    バスマネージメント機能
２４    アプリケーションプロトコル変換機能
【図１】
2004153781.tif 000003
【図２】
2004153781.tif 000004
【図３】
2004153781.tif 000005
【図４】
2004153781.tif 000006
【図５】
2004153781.tif 000007